(57)【特許請求の範囲】
【請求項１】
ベルト端面同士が対面するようにしてベルトコンベヤが複数連続して配置されたコンベヤ搬送路を備える吸収性物品の搬送設備であって、
少なくとも一方が周面に外気を吸引するための吸引部が形成された外気吸引ローラである一対のローラとこれらローラ間に巻き架けられた通気性無端ベルトとを有するベルトコンベヤを二機以上備え、
それらベルトコンベヤ同士が前記外気吸引ローラ同士を対面するようにして配置されたベルトコンベヤ隣接部を備え、かつ、
前記外気吸引ローラに吸引機能を付与する吸引手段を備える、ことを特徴とする吸収性物品の搬送設備。
【請求項２】
前記外気吸引ローラの上部側半周面の所定範囲から外気が吸引されるように構成されている請求項１記載の吸収性物品の搬送設備。
【請求項３】
前記ベルトコンベヤが、一対のローラ間に、上面が外気吸引部とされかつ上面側端部が外気吸引ローラの周面上に至るまで迫り出すように構成されているサクションボックスを、備える請求項１または２記載の吸収性物品の搬送設備。
【請求項４】
前記通気性無端ベルトは、進行方向両側部が中央部よりも低通気性に構成されている、請求項１〜３の何れか１項に記載の吸収性物品の搬送設備。
【請求項５】
前記通気性無端ベルトは、進行方向両側部が中央部よりも高通気性に構成されている、請求項１〜３の何れか１項に記載の吸収性物品の搬送設備。
【請求項６】
外気吸引ローラが、チラー装置またはこのチラー装置からの冷却路の近傍に設置され、このチラー装置またはこれからの冷却路により冷却された外気が前記外気吸引ローラから吸引されるように構成されている請求項１〜５の何れか１項に記載の吸収性物品の搬送設備。
【請求項７】
通気性無端ベルト上に載置されて搬送されてくる吸収性物品を所定位置で検出する検出手段と、この検出手段に応じて当該検出位置よりも後段の外気吸引ローラの吸引力を制御する制御手段と、を備える請求項１〜６の何れか１項に記載の吸収性物品の搬送設備。
【発明の詳細な説明】
【技術分野】
【０００１】
本発明は、生理用ナプキン、紙おむつなどの吸収性製品、あるいはこれらに用いる吸収体などの吸収性物品を製造するさいに用いる搬送設備に関する。
【背景技術】
【０００２】
一般に吸収性物品の製造は流れ作業で行われるため、各工程に物品を移動するにあたって、図５に示されるようなベルトコンベヤ１１０Ａ，１１０Ｂを隣接させてなる搬送路１００を備える搬送設備が用いられる。このような搬送設備においては、吸収性物品Ｘ４のベルト上からの逸脱を防止すべく、搬送路を構成するベルトコンベヤの一部または全部を、回動自在なフリーローラ間に通気性無端ベルト１１３Ａ，１１３Ｂを巻き架け、その両端ローラ間の適宜の位置に通気性無端ベルトを移動させる駆動手段（図示されない）と、通気性無端ベルト１１３Ａ，１１３Ｂ上の吸収性物品Ｘ４をベルト１１３Ａ，１１３Ｂに引き寄せるために外気Ａの吸引するサクションボックス１１４，１１４とを配置した、吸引機能付きのベルトコンベヤ１１０Ａ，１１０Ｂが用いられることがある。
【特許文献１】特開２００４−１２１２９９
【発明の開示】
【発明が解決しようとする課題】
【０００３】
しかしながら、従来の搬送設備におけるコンベヤ１１０Ａ，１１０Ｂは、コンベヤ両端部に位置するフリーローラ１１１，１１２には吸引機能がなく、このローラ１１１，１１２の存在によって隣接するコンベヤ１１０Ａ、１１０Ｂにそれぞれ設置されるサクションボックス（バキュームボックスとも呼ばれる）１１４，１１４の間隔が離間させられるため、図５に示すように、隣接するコンベヤ１１０Ａ、１１０Ｂ間で吸収性物品Ｘ４’を受け渡すさいには、当該吸収性物品Ｘ４’に対して各コンベヤの吸引力が作用しなくなり、吸収性物品Ｘ４’がばたつくなどして載置位置がベルト中央部からずれたり、載置の向きがずれたりすることがあった。
そこで、本発明の主たる課題は、隣接するコンベヤ間における吸収性物品の受け渡し時に、吸収性物品の載置方向や載置位置がずれない搬送設備を提供することにあり、他の課題として、当該搬送装置における搬送性およびコンベヤ間における吸収性物品の受け渡し態様をより良好なものとすることである。
【課題を解決するための手段】
【０００４】
上記課題を解決した本発明およびその作用効果は次記のとおりである。
＜請求項１記載の発明＞
ベルト端面同士が対面するようにしてベルトコンベヤが複数連続して配置されたコンベヤ搬送路を備える吸収性物品の搬送設備であって、
少なくとも一方が周面に外気を吸引するための吸引部が形成された外気吸引ローラである一対のローラとこれらローラ間に巻き架けられた通気性無端ベルトとを有するベルトコンベヤを二機以上備え、
それらベルトコンベヤ同士が前記外気吸引ローラ同士を対面するようにして配置されたベルトコンベヤ隣接部を備え、かつ、
前記外気吸引ローラに吸引機能を付与する吸引手段を備える、ことを特徴とする吸収性物品の搬送設備。
【０００５】
（作用効果）
本発明の搬送設備は、回動自在なローラに通気性無端ベルトが巻き架けられてなるベルトコンベヤ（以下、ベルトコンベヤは単にコンベヤとも記載する）が連続配置された搬送路を有する。そして、その搬送路を構成するコンベヤ隣接部の１つは、周面から外気を吸引する機能が付与された外気吸引ローラが対面して構成されている。また、前記外気吸引ローラに吸引機能を付与する吸引手段を備える。吸引手段により外気吸引ローラの周面から外気を吸引すると、上流側コンベヤ上を下流に搬送されてきた吸収性物品は、上流側コンベヤの下流側端まで吸収性物品に対する吸引力が作用し、それととともに受け渡し直後の下流側コンベヤの上流側端においても吸収性物品に対しても吸引力を作用するようになる。すなわち受け渡しの間において吸収性物品に対する吸引力が常に作用した状態となる。このため、受け渡し時に当該吸収製物品のばたつき等がなくなり、もって載置方向のずれや、載置位置のずれなく吸収性物品の受け渡しが行なわれるようになる。
なお、隣接するコンベヤ間の距離は、搬送対象物の大きさおよび重量等により適宜定めればよい。
【０００６】
＜請求項２記載の発明＞
前記外気吸引ローラの上部側半周面の所定範囲から外気が吸引されるように構成されている請求項１記載の吸収性物品の搬送設備。
【０００７】
（作用効果）
外気吸引ローラの上部側半周面の所定範囲から外気が吸引されることとしたので、上流側コンベヤ上を下流に搬送されてきた吸収性物品に対して当該上流側コンベヤの下流側端の外気吸引ローラの吸引力が過度に作用して、隣接する下流側コンベヤに吸収性物品が受け渡されず、上流側コンベヤの通気性無端ベルトに吸い付いたままとなってしまう事故が防止される。
【０００８】
＜請求項３記載の発明＞
前記ベルトコンベヤが、一対のローラ間に、上面が外気吸引部とされかつ上面側端部が外気吸引ローラの周面上に至るまで迫り出すように構成されているサクションボックスを、備える請求項１または２記載の吸収性物品の搬送設備。
【０００９】
（作用効果）
サクションボックスを設けたのでローラ間においても、吸収性物品をベルト上に確実に保持できるようになる。またそのサクションボックスの上面側端が外気吸引ローラの周面状に至るまで迫り出すように構成したので、サクションボックスから外気吸引ローラにかけて吸引力が作用しなくなる位置がなくなり、コンベヤ上全体に渡って吸収性物品を吸引保持しつづけることができる。
【００１０】
＜請求項４記載の発明＞
前記通気性無端ベルトは、進行方向両側部が中央部よりも低通気性に構成されている、請求項１〜３の何れか１項に記載の吸収性物品の搬送設備。
【００１１】
（作用効果）
側部が中央部よりも重い構造の吸収性物品のコンベヤ間の受け渡しを良好に行うことができる。
【００１２】
＜請求項５記載の発明＞
前記通気性無端ベルトは、進行方向両側部が中央部よりも高通気性に構成されている、請求項１〜３の何れか１項に記載の吸収性物品の搬送設備。
【００１３】
（作用効果）
中央部が側部よりも重い構造の吸収性物品のコンベヤ間の受け渡しを良好に行うことができる。
【００１４】
＜請求項６記載の発明＞
外気吸引ローラが、チラー装置またはこのチラー装置からの冷却路の近傍に設置され、このチラー装置またはこれからの冷却路により冷却された外気が前記外気吸引ローラから吸引されるように構成されている請求項１〜５の何れか１項に記載の吸収性物品の搬送設備。
【００１５】
（作用効果）
チラー装置またはこれからの冷却路により冷却された外気が外気吸引ローラから吸引されるように構成されているので、冷気吸引に伴って外気吸引ローラに捲き架けられた通気性無端ベルトが冷却される。従って、搬送物がホットメルト接着剤が付与された直後の吸収性物品などを、当該冷却された通気性無端ベルトによる搬送過程においても冷却することができるようになる。
【００１６】
＜請求項７記載の発明＞
通気性無端ベルト上に載置されて搬送されてくる吸収性物品を所定位置で検出する検出手段と、この検出手段に応じて当該検出位置よりも後段の外気吸引ローラの吸引力を制御する制御手段と、を備える請求項１〜６の何れか１項に記載の吸収性物品の搬送設備。
【００１７】
（作用効果）
無端ベルト上に載置されて搬送されてくる吸収性物品を所定位置で検出する検出手段と、この検出手段に応じて当該検出位置よりも後段の外気吸引ローラにおける吸引力を制御する制御手段とを備えるため、吸収性物品が検出されたときに後段の外気吸引ローラ吸引力を強めるようにし、その他のときにおいては吸引を停止あるいは弱めるように制御することで、吸引に必要なエネルギーを節約できる。
【発明の効果】
【００１８】
以上のとおり、本発明によれば、隣接するコンベヤ間における吸収性物品の受け渡し時に、吸収性物品の載置方向や載置位置がずれない搬送設備を提供される。
【発明を実施するための最良の形態】
【００１９】
本発明の実施の形態を以下に図面を参照しながら詳述する。
（第１の実施の形態）
図１は、本形態の搬送設備１の特徴部分である搬送路の一部（コンベヤ隣接部）を示す図である。図１に示すとおり、この搬送路は、回動自在なローラ間に通気性無端ベルト１３が巻き架けられたベルトコンベヤ１０Ａ，１０Ｂ（以下、ベルトコンベヤは単にコンベヤと記載する）が、ベルト端面同士を対面するようにして複数連続的に配置されて構成されている（図中、各コンベヤ１０Ａ，１０Ｂの一方端は省略する）。図１中において、１０Ａは上流側コンベヤ、１０Ｂは下流側コンベヤを示しており、搬送対象物である吸収性物品Ｘは、１０Ａの上流側コンベヤから１０Ｂの下流側コンベヤに受け渡されて搬送される。なお、隣接するコンベヤ間の距離は、搬送対象物の大きさおよび重量等により適宜定める。
【００２０】
本形態の搬送路は特徴的には、周面に外気を吸引するための吸引部が形成された外気吸引ローラ同士が対面するようにして配置されたベルトコンベヤ隣接部を備え、さらに、この外気吸引ローラに吸引機能を付与する吸引手段とを備える。図示されるコンベヤ隣接部で説明すれば、コンベヤ１０Ｂの下流側端ローラ１２およびコンベヤ１０Ａの上流側端に位置するローラ１１が、その周面にスリット孔あるいは微細孔が形成されたものであり、このローラ１１，１２に周面から外気を吸引するための吸引手段（図示されない）が連結されて構成されている。なお、前記外気吸引ローラ１２は、通気性ウレタンスポンジジャケットで被覆されたローラや、円周面が金属メッシュ材で構成された通気性ローラ、なども利用できる。
【００２１】
本形態では特に、外気吸引ローラ１１，１２の上部側半周面のみ外気が吸引されるように構成されている。具体的には、外気吸引ローラ１１，１２よりも若干径の小さい無孔の吸引範囲調整円弧湾曲板１５が、外気吸引ローラ１１，１２内に同軸かつ不回転に外気吸引ローラ１１，１２の下半周面を被覆するように設置されていて、外気吸引ローラ１１，１２の下半周面からは吸気がなされずに、上部側半周面のみ外気が吸引されるように構成されている。なお、外気吸引ローラ１１，１２の吸引範囲の調整は、範囲調整円弧湾曲板１５の大きさを変更して外気吸引ローラ１１，１２の被覆範囲を調整することにより、適宜変更することができる。また、外気吸引ローラ１１，１２の吸引範囲の調整は本形態に限られるものではない。
【００２２】
図示されない前記吸引手段は、真空ポンプ等のポンプによって外気を吸引する吸気装置や、ブロアー、タービン等のファンの作用により外気を吸気する吸気装置など、既知の吸気装置を用いることができる。
【００２３】
一方、各コンベヤ１０Ａ，１０Ｂの端部に位置するローラ間には、上面１４Ｕに外気吸引部を有するサクションボックス（バキュームボックスとも呼ばれる）１４，１４が設置されている。このサクションボックス１４，１４には、図示されない吸引手段が連結されている。この吸引手段の作動によってベルト近傍の外気Ａが前記通気性無端ベルト１３を通してサクションボックス１４方向に移動せしめられ、もって通気性無端ベルト１３上に載置された吸収性物品Ｘが、コンベヤ中間部（ローラ間部）において通気性無端ベルト１３上に吸引保持されるように構成されている。また、このサクションボックス１４，１４の上面側端部１４Ｅ，１４Ｅは、外気吸引ローラ１１，１２の周面上に至るまで迫り出すように構成されていて、ベルトコンベヤ上の流路においてサクションボックス設置部位から外気吸引ローラ設置部位に至るまで途切れることなく搬送対象物である吸収性物品に対して吸引力が作用されるように構成されている。
【００２４】
ここで、外気吸引ローラ１１，１２とサクションボックス１４，１４の吸引力の差は同様かもしくは、上流側コンベヤ１０Ａのサクションボックス１４、上流側コンベヤ１０Ａの外気吸引ローラ１１、下流側コンベヤ１０Ｂの外気吸引ローラ１２、下流側コンベヤ１０Ｂのサクションボックスの順に、吸引力を高くするのが望ましい。サクションボックス設置部位から外気吸引ローラ設置部位への吸収性物品の移動、外気吸引ローラ１１，１２間の吸収性物品の受け渡し、および外気吸引ローラ設置部位からサクションボックス設置部位への吸収性物品の移動がスムーズになされるようになる。具体的な、外気吸引ローラ１１，１２およびサクションボックス１４，１４の吸引力は、搬送対象物の大きさおよび対象物に応じて適宜定めることができる。
【００２５】
サクションボックス１４，１４に連結される吸引手段も、真空ポンプ等のポンプによって外気を吸引する吸気装置や、ブロアー、タービン等のファンの作用により外気を吸気する吸気装置など、既知の吸気装置を用いることができる。
【００２６】
通気性の無端ベルト１３としては、既知のサクションコンベヤなど吸引機能を有するコンベヤに用いられている搬送用無端ベルトを用いることができる。具体的には、天然ゴム、ウレタンゴムそのほか合成ゴムなどの各種ゴム製ベルトに微細な通気孔を多数形成したものや、スポンジ性ベルトなどが挙げられる。
【００２７】
通気性無端ベルト１３の駆動手段は図示はしないが、通気性無端ベルトに周面で接する回転筒と、この回転筒の回転軸に直接的にあるいはプーリーおよびプリーベルト等を介して間接的に連結されて前記回転筒を回転させる駆動原となるモータにより構成された、既知の駆動手段を用いることができる。
【００２８】
ここで、本形態の搬送設備の搬送対象物である吸収性物品Ｘは、生理用ナプキン、汗取りパッド、尿取りパッド、紙おむつなど、透液性シートと不透液シートとの間に吸収体を介在させた構造を有する体液吸収性製品、あるいはこれら体液吸収性製品に用いる吸収体などである。
【００２９】
一方、本形態の搬送設備１は、コンベヤ１０Ａ，（１０Ｂ）の適宜の位置の上方に、吸収性物品Ｘの吸収性物品検出装置２０が設けられている。この検出装置２０は、光電管等であり検出光２０Ｐをコンベヤ１０Ａ，（１０Ｂ）上に照射して当該照射区間を通る吸収性物品Ｘの有無を検出するものである。
【００３０】
また、本形態の搬送設備１は、前記外気吸引ローラ１２に連結された吸引手段の吸引力を制御するための吸引力制御調整装置２１を有する。この制御調整装置２１は、前記光電管２０で検出された検出信号２０Ｓを受けて、当該吸引手段に制御信号２０Ｓを送り、接続された各吸引手段での吸引力や運転を制御調整するものである。
【００３１】
以上詳述の本形態の搬送設備１では、上流側コンベヤ１０Ａを流れてきた吸収性物品Ｘが検出装置２０により検出されると、外気吸引ローラ１２に連結された吸気装置が制御装置２０によって作動するとともに、その吸引力を適宜の吸引力に制御調整する。
【００３２】
そして、上流側コンベヤか１０Ａら下流側コンベヤ１０Ｂに吸収性物品Ｘが受け渡されるさいには、上流側コンベヤ１０Ａの下流側端のローラ（外気吸引ローラ）１１の存在によって上流側コンベヤ１０Ａのサクションボックス１４から引き続き吸引力が作用したまま上流側コンベヤ端まで吸収性物品が搬送されるとともに、下流側コンベヤ１０Ｂの上流側端のローラ（外気吸引ローラ）１２の吸引力が作用し始めて、吸収性物品Ｘが上流側のコンベヤ１０Ａ上から下流側のコンベヤ１０Ｂに吸引されるようにして受け渡される。かくして、吸収性物品Ｘがコンベヤ１０Ａ，１０Ｂ間の所定範囲で吸引力がなくなってばたつき、ベルト上の載置位置や載置方向がずれることなく、受け渡しがなされる。
【００３３】
なお、図１中においては、便宜のため二機のコンベヤ１０Ａ，１０Ｂに着目して、上流側１０Ａ、下流側コンベヤ１０Ｂとして説明したが、もちろん上流側コンベヤ１０Ａのさらに上流側にコンベヤが連接されて搬送路が形成されていてもよいし、下流側コンベヤ１０Ｂのさら下流がコンベヤが連接されて搬送路が形成されていてもよい。搬送路を構成するコンベヤの隣接部のすべてあるいは適宜の隣接部のみについて、外気吸引ローラ同士が対面するコンベヤ隣接部に構成することができる。
【００３４】
（第２の実施の形態）
第２の実施の形態は、第１の実施の形態における搬送設備において通気性無端ベルトが、進行方向両側部が中央部よりも低通気性に構成されている形態である。具体的には、図２に本形態の通気性無端ベルト１３Ａの正面図が示されているように、本形態の通気性無端ベルト１３Ａは、進行方向側端からの所定範囲（側部）１３Ｅに小径の小径通気孔１３ｈが多数形成され、その両側部１３Ｅ，１３Ｅ間の中央部１３Ｓにはそれよりも大径の大径通気孔１３Ｈが多数形成されることにより、進行方向両側部１３Ｅ，１３Ｅが中央部１３Ｓよりも低通気性に構成されている。
【００３５】
この形態の通気性無端ベルト１３Ａを有する搬送設備では、図２中に示される吸収性製品Ｘ２のように、吸収コアＸｃが幅方向の略中央部に位置されていて、中央部の重量が両側部より重い構成の吸収性物品の搬送に適する。
【００３６】
すなわち、このような吸収性物品Ｘ２をコンベヤ間で受け渡すにあたって、コンベヤ幅方向にわたって同様の吸引力であると、まず吸収性物品の側部の軽い部分が吸引されて移動し、その後に重い中央部が吸引されて移動する。このとき、先に移動した吸収性物品側部が当該吸収性物品中央部下に下に入りこんで下敷きになってしまう事故が生じやすくなる。
【００３７】
本形態の通気性無端ベルト１３Ａのように、進行方向両側部１３Ｅ，１３Ｅが中央部１３Ｓよりも低通気性に構成すれば、外気吸引ローラ１１，１２による吸引力は、重い部分が位置しているベルト中央１３Ｓでより強力となるから、当該吸収性物品Ｘ２を上流側コンベヤ１０Ａから下流側コンベヤ１０Ｂに受け渡すさいに、軽い側部がさきに下流側コンベヤ１０Ｂに移動されることはなく、吸収性物品Ｘ２の重量配分にほぼ関係なく一時に受け渡すことが可能となり、かかる事故を防止することができる。
【００３８】
なお、中央部１３Ｓと側部１３Ｅとの比率は、搬送対象物である吸収性物品Ｘ２に応じて適宜変更すればよいが、紙おむつ、整理用ナプキンなどの体液吸収性物品に用いるのであれば、その形状を考慮して、側部幅（一方端部幅）１３Ｅ：中央部幅１３Ｓが１：１〜１：５程度となるように構成するのが望ましい。
【００３９】
また、側部１３Ｅと中央部１３Ｓの吸引力の比率は、大径通気孔１３Ｈ、小径通気孔１３ｈの径差および孔形成密度によって調整することができる。具体的な吸引力の比率は、搬送対象物となる吸収性物品における部分的な重量配分比率に応じて適宜変更する。
【００４０】
（第３の実施の形態）
第３の実施の形態は、第２の実施の形態とは反対に、通気性無端ベルトが、進行方向両側部が中央部よりも高通気性に構成されている形態である。具体的には、図３に本形態の通気性無端ベルトＸ３の正面図が示されているように、本形態の通気性無端ベルト１３Ｂは、進行方向側端からの所定範囲（端部）１３Ｅ，１３Ｅに大径の大径通気孔１３Ｈが多数形成され、その両端部間の中央部１３Ｓにはそれよりも小径の小径通気孔１３ｈが多数形成されることにより、進行方向両側部１３Ｅ，３Ｅが中央部１３Ｓよりも高通気性に構成されている。
【００４１】
この形態の通気性無端ベルト１３Ｂを有する搬送設備では、図３中に示される吸収性物品Ｘ３のように、吸収コアＸｃが両側部に位置されていて、両側部の重量が中央部より重い構成の吸収性物品Ｘ３の搬送に適する。
【００４２】
すなわち、このような吸収性物品Ｘ３をコンベヤ間で受け渡すにあたって、コンベヤ幅方向にわたって同様の吸引力であると、まず吸収性物品Ｘ３の中央部の軽い部分が吸引され、その後に重い中央部が吸引されて移動する。このとき、後に移動する吸収性物品両側がばたついて、当該吸収性物品Ｘ３にしわがよる事故が生じやすくなる。
【００４３】
本形態の通気性無端ベルト１３Ｂのように、進行方向両側部１３Ｅ，１３Ｅが中央部１３Ｓよりも高通気性に構成すれば、外気吸引ローラ１１，１２による吸引力は、重い部分が位置しているベルト両側部１３Ｅ，１３Ｅでより強力となるから、当該吸収性物品Ｘ３を上流側コンベヤ１０Ａから下流側コンベヤ１０Ｂに受け渡すさいに、軽い中央部がさきに下流側コンベヤ１０Ｂに移動されることはなく、吸収性物品Ｘ３の重量配分にほぼ関係なく一時に受け渡すことが可能となり、かかる事故を防止することができる。
【００４４】
なお、中央部１３Ｓと側部１３Ｅとの比率は、搬送対象物である吸収性物品Ｘ３に応じて適宜変更すればよい。側部幅１３Ｅ（一方端部幅）：中央部幅１３Ｓが１：１〜１：５程度となるように構成するのが望ましい。
【００４５】
また、両側部１３Ｅ，１３Ｅと中央部１３Ｓの吸引力の比率は、大径通気孔１３Ｈ、小径通気孔１３ｈの孔径差および孔形成密度によって調整することができる。具体的な吸引力の比率は、搬送対象物となる吸収性物品Ｘ３における部分的な重量配分比率に応じて適宜変更する。
【００４６】
（第４の実施の形態）
次いで、本発明の他の形態を図４を参照しながら以下に詳述する。本形態は、外気吸引ローラ１１，１２を、チラー装置３０またはこのチラー装置からの冷却路の近傍に設置した例である。これにより、チラー装置３０またはこれからの冷却路により冷却された装置等近傍の外気が外気吸引ローラ１１，１２から吸引され、それにともなって通気性無端ベルト１３が冷却される。
【００４７】
従って、例えば、ホットメルト接着剤付与直後の吸収性物品Ｘなど、冷却対象搬送物を当該コンベヤで搬送すれば予冷をなすことができる。
【００４８】
なお、予冷後の吸収性物品に対しては、例えば、当該チラー装置から冷却路を介して冷気を供給して充填した冷却室内を当該ベルトが通るように構成するなどして、搬送されてきた冷却対象搬送物をさらに所望の状態となるまで冷却すればよい。
【産業上の利用可能性】
【００４９】
本発明は、吸収性物品以外の搬送物の搬送にも利用可能である。
【図面の簡単な説明】
【００５０】
【図１】本発明の第１実施の形態の搬送設備の概略側面図である。
【図２】第２の実施の形態の通気性無端ベルトの説明図である。
【図３】第３の実施の形態の通気性無端ベルトの他の例の説明図である。
【図４】第４の実施の形態の搬送設備を示す概略側面図である。
【図５】従来の搬送設備の概略側面図である。
【符号の説明】
【００５１】
１…搬送設備、１０Ａ，１０Ｂ…コンベヤ、１１…上流側端ローラ（外気吸引ローラ）、１２…下流側端ローラ（外気吸引ローラ）、１３，１３Ａ，１３Ｂ…通気性無端ベルト、１３Ｈ…大径通気孔、１３ｈ…小径通気孔、１３Ｅ…通気性無端ベルト進行方両側部、１３Ｓ…通気性無端ベルト進行方中央部、１４…サクションボックス、１５…吸引範囲調整円弧湾曲板、２０…吸収性物品検出装置、２０Ｐ…検出光、２０Ｓ…検出信号、２１…吸引力制御装置、２１Ｓ…制御信号、３０…チラー装置、Ａ，Ａ’…外気、Ｘ，Ｘ１，Ｘ２…吸収性物品、Ｘｃ…吸収コア。
【図１】
0004522940.tif 000002
【図２】
0004522940.tif 000003
【図３】
0004522940.tif 000004
【図４】
0004522940.tif 000005
【図５】
0004522940.tif 000006